(57)【要約】【課題】構造がシンプルで、スイッチの応答速度が速く、耐用年数が長く、防水防塵のモジュール式の光電スイッチキーボードのキーを提供する。【解決手段】モジュール式の光電スイッチキーボードのキー１００のは、モジュール式の光電スイッチ１は、ベース２に設置され、軸コアアセンブリ３は摺動可能にベース２の摺動キャビティ内に設置され、ハリ素子４は、ベース２と軸コアアセンブリ３との間に設けられる。モジュール式の光電スイッチ１は、送信管１２、受信管１３及びセパレータ１４を含み、送信管１２及び受信管１３は相対的に設置され且つ回路盤と電気的に接続される。セパレータ１４は、軸コアアセンブリ３に連結され、送信管１２及び受信管１３の間に位置する。セパレータ１４を送信管１２及び受信管１３の間に摺動させ又は離脱させるよう軸コアアセンブリ３を押さえ、送信管１２と受信管１３との間の信号伝送を遮断又は通信させる。【選択図】  図１
2017112092.tif 000002
【特許請求の範囲】
【請求項１】
送信管、受信管及びセパレータを有するモジュール式の光電スイッチと、
ベースと、
軸コアアセンブリと、
ハリ素子と、
を含み、
前記モジュール式の光電スイッチは、前記ベースに設置され、
前記軸コアアセンブリは、前記ベースの摺動キャビティー内に摺動可能に設置され、
前記ハリ素子は、前記ベースと前記軸コアアセンブリとの間に設けられ、
前記送信管及び前記受信管は、相対的に設置され且つ回路盤と電気的に接続され、
前記セパレータは、前記軸コアアセンブリに連結され、且つ、前記送信管及び前記受信管の間に位置し、
前記送信管及び前記受信管の間に前記セパレータを摺動させ又は離脱させるよう前記軸コアアセンブリを押さえ、それによって前記送信管と前記受信管との間の信号伝送を遮断又は通信させるモジュール式の光電スイッチキーボードのキー。
【請求項２】
前記モジュール式の光電スイッチは、更にシートボディを含み、
前記シートボディは、前記ベースに固定設置され、
前記シートボディは、２つの相対送信管装着スタンドを有し、
２つの前記相対送信管の装着スタンド間には、通信と遮断用の溝が開けられ、
前記送信管及び前記受信管は、それぞれ前記相対送信管装着スタンドに設置され、
前記送信管の送信口及び前記受信管の受信口は、前記通信と遮断用の溝に向かって相互正対する請求項１に記載のモジュール式の光電スイッチキーボードのキー。
【請求項３】
２つの前記相対送信管装着スタンドには、前記通信と遮断用の溝側に開口する連続溝が開けられ、
前記送信口及び前記受信口は、前記連続溝に対して正面を向く請求項２に記載のモジュール式の光電スイッチキーボードのキー。
【請求項４】
前記送信管及び前記受信管の片側には、第１嵌合部が設けられ、
２つの前記相対送信管装着スタンドの前記第１嵌合部と対応する側壁には、前記第１嵌合部と嵌合する第２嵌合部が設けられる請求項２に記載のモジュール式の光電スイッチキーボードのキー。
【請求項５】
前記シートボディの底部には、バックルレッグが設けられ、
前記バックルレッグは、回路盤に結びつけられる請求項２に記載のモジュール式の光電スイッチキーボードのキー。
【請求項６】
更にばね金を含み、
前記ばね金は、前記ベースに固定され、
前記ばね金は、ハリ片を有し、
前記軸コアアセンブリには、当接部が設けられ、
前記ハリ片は、前記軸コアアセンブリの摺動方向と垂直になる弾力を提供し且つ前記当接部に当接する請求項１に記載のモジュール式の光電スイッチキーボードのキー。
【請求項７】
前記軸コアアセンブリは、軸コア、及び、摺動可能に前記軸コアの外に嵌着される摺動ブッシュを含み、
前記軸コアには、掛り部が設けられ、押されていない状態で、前記摺動ブッシュが前記掛り部に掛かり、前記当接部は前記ハリ片に当接する請求項６に記載のモジュール式の光電スイッチキーボードのキー。
【請求項８】
前記ベースの下ボトムには、位置決めロッドが設けられ、
前記位置決めロッドは、回路盤の位置決め穴の中に挿着される請求項１に記載のモジュール式の光電スイッチキーボードのキー。
【請求項９】
前記ベースの片側には、ハリフックが設けられ、
前記回路盤の上方には、固定プレートが設けられ、
前記ベースは、前記固定プレートの開口に設置され、
前記ハリフックは、前記開口のエッジにクランプする請求項１に記載のモジュール式の光電スイッチキーボードのキー。
【請求項１０】
前記ベースは、上カバー及びベースを含み、
前記上カバーまたは前記ベースのうちの一方には、嵌合フックが設けられ、
前記上カバーまたは前記ベースの他方には、フック嵌合部が設けられ、
前記上カバーを前記ベース上にかぶせる場合、前記嵌合フックが前記フック嵌合部に嵌合する請求項１に記載のモジュール式の光電スイッチキーボードのキー。
【発明の詳細な説明】
【技術分野】
【０００１】
本発明はキーボードに関し、特にモジュール式の光電スイッチキーボードのキーに関する。
【背景技術】
【０００２】
機械キーボードは一般的なキーボードで、このようなキーボードの各キーとも独自なスイッチによって連通を制御し、キーによってハリ導電物をリンケージさせ、ハリ導電物を他の導電物と電気的に接触させ又はオフさせるようにして通信又は停電という目的を達成し、更にキーボードの押す操作を実現する。機械キーボードが押された時にユニークな触感と音を有するため、ますます多くのパソコンユーザーに大変人気がある。
【先行技術文献】
【特許文献】
【０００３】
【特許文献１】特開平１１−３９９９６公報
【発明の概要】
【発明が解決しようとする課題】
【０００４】
しかし、従来の機械キーボードには多くの課題を有する。例えば、機械構造が複雑で、取り付けに煩わしく、スイッチの応答速度が遅く、水に濡れると短絡が発生しやすく、ほこりの環境で使用すると切れやすく、長時間使用すると接触箇所に磨耗又は金属疲労が発生しやすく、耐用年数が短い。
本発明は、構造がシンプルで、スイッチの応答速度が速く、耐用年数が長く、防水防塵のモジュール式の光電スイッチキーボードのキーを提供することである。
【課題を解決するための手段】
【０００５】
上記目的を実現するために、本発明の提供するモジュール式の光電スイッチキーボードのキーは、モジュール式の光電スイッチ、ベース、軸コアアセンブリ及びハリ素子を含む。モジュール式の光電スイッチは、ベースに設置される。軸コアアセンブリは、ベースの摺動キャビティ内に摺動可能に設置される。ハリ素子は、ベースと軸コアアセンブリとの間に設けられる。
モジュール式の光電スイッチは、送信管、受信管及びセパレータを含む。送信管及び前記受信管は、相対的に設置され、且つ、回路盤と電気的に接続される。セパレータは、軸コアアセンブリに連結され、且つ、送信管及び受信管の間に位置する。セパレータを前記送信管及び前記受信管の間に摺動させ又は離脱させるよう軸コアアセンブリを押さえ、それによって送信管と受信管との間の信号伝送を遮断又は通信させる。
【０００６】
従来の技術に比べて、本発明は、送信管及び受信管がそれぞれ相対的に設置され、セパレータが送信管及び受信管の間に設けられる。また、セパレータを軸コアアセンブリに接続させ、軸コアアセンブリがセパレータを駆動して送信管と受信管の間まで摺動することで、送信管と受信管との間の信号伝送を遮断できる。
【０００７】
又、ハリ素子を設置し、ハリ素子の回復力を利用して、セパレータを摺動させて送信管及び受信管の間を離れることで、前記送信管と前記受信管との間の信号伝送を通じさせる。したがって、セパレータの摺動により、信号を通信させ及び遮断させることによりスイッチの機能を達成でき、これによりキーボードの押す操作を実現する。
光電素子を用いてキーボードのキーのスイッチ構造とすれば、構造がシンプルで、取り付けは迅速で、スイッチの応答速度が速いのみならず、信号伝送は光に依存して行うため、導電金属物を必要とせず、防水防塵という効果を有し、且つ、セパレータは送信管及び受信管と直接接触せず、磨耗又は金属疲労の現象はなく、耐用年数が大幅に延長される。
【０００８】
また一態様では、モジュール式の光電スイッチは更にシートボディを含む。シートボディは、ベースに固定設置される。シートボディは、２つの相対送信管の装着スタンドを有する。２つの相対送信管の装着スタンドの間には、通信と遮断用の溝が開けられる。送信管及び受信管は、それぞれ相対送信管の装着スタンドの中に設置される。送信管の送信口及び受信管の受信口は、通信と遮断用の溝に向かって相互正対する。シートボディに２つの相対送信管の装着スタンドを設置することにより、送信管及び受信管に対して位置決めを行うことができ、且つ両者間にある隔てている通信と遮断用の溝を介して正対させ、信号の伝送を実現する。
【０００９】
一態様では、２つの相対送信管装着スタンドには、前記通信と遮断用の溝側に開口する連続溝が開けられ、送信口及び受信口が連続溝に正面を向く。送信管及び受信管が相対送信管装着スタンド内に設置されるため、連続溝を開設すれば、送信口及び受信口を外と連通させ、それにより信号の伝送を実現する。
一態様では、送信管及び受信管の片側に第１嵌合部が設けられる。２つの相対送信管装着スタンドの、第１嵌合部と対応する側壁には、第１嵌合部と嵌合する第２嵌合部が設けられる。第１嵌合部及び第２嵌合部を設置することにより、送信管に対する迅速位置決めを実現し、取り付けしやすい。
【００１０】
一態様では、シートボディの底部にバックルレッグが設けられる。バックルレッグは、回路盤と結びつけられる。バックルレッグは、シートボディを回路盤と速やかに接続させ、取り付けやすく、組み立て速度を向上させる。
【００１１】
一態様では、モジュール式の光電スイッチのキーボードのキーは、更にばね金を含む。ばね金は、ベースに固定され、ばね金は、ハリ片を有する。軸コアアセンブリには、当接部が設けられる。ハリ片は、軸コアアセンブリの摺動方向と垂直になる弾力を提供し且つ前記当接部に当接する。ばね金を設置し、軸コアアセンブリに当接部を設置することにより、ばね金は当接部に対して弾力を発生させることで、キーを押した時の段落感を持たせることができ、機械キーボードとしての特有な触感を実現する。
【００１２】
一態様では、軸コアアセンブリは、軸コア、及び、摺動可能に軸コア外に嵌着される摺動ブッシュを含む。軸コアには、掛り部が設けられ、押されていない状態で、摺動ブッシュは掛り部に掛かり、当接部はハリ片に当接する。軸コアアセンブリを軸コア及び摺動ブッシュという両部に分けることにより、一態様のモジュール式の光電スイッチキーボードのキーを押す時、軸コアを摺動ブッシュと衝突する音を発生させ、機械キーボードの音の真似を実現し、キーボードのタイプ時の音を増幅する。
一態様では、ベースの下ボトムには、位置決めロッドが設けられる。位置決めロッドは、回路盤の位置決め穴の中に挿着される。位置決めロッドは、取り付け時にベースを迅速に位置決めさせ、取り付け効率を向上させる。
【００１３】
一態様では、ベースの片側には、ハリフックが設けられる。回路盤の上方には、固定プレートが設けられる。ベースは、固定プレートの開口に設置される。ハリフックは、開口のエッジにクランプする。ハリフックは、記ベースを迅速固定し、半田等のステップを省き、取り付け効率を向上させる。
【００１４】
一態様では、ベースは、上カバー及びベースを含みむ。上カバーまたはベースの一方には、嵌合フックが設けられる。上カバーまたはベースの他方には、フック嵌合部が設けられる。上カバーをベースにかぶせる場合、嵌合フックがフック嵌合部と嵌合する。ベースを上カバー及びベースに分けて設け、且つ嵌合フック及びフック嵌合部を利用して嵌合接続させる形式であるため、組み立てしやすい。
【図面の簡単な説明】
【００１５】
【図１】本発明の第１実施形態のモジュール式の光電スイッチキーボードのキーの斜視図である。
【図２】本発明の第１実施形態のモジュール式の光電スイッチキーボードのキーの平面図である。
【図３】本発明の第１実施形態のモジュール式の光電スイッチキーボードのキーの分解斜視図である。
【図４】図２におけるＡ−Ａ線断面図である。
【図５】図２におけるＢ−Ｂ線断面図である。
【図６】本発明の第１実施形態のモジュール式の光電スイッチキーボードのキーにおける摺動ブッシュ及びばね金の斜視図である。
【図７】本発明の第１実施形態のモジュール式の光電スイッチの斜視図である。
【図８】本発明の第１実施形態のモジュール式の光電スイッチの分解斜視図である。
【図９】本発明の第１実施形態のモジュール式の光電スイッチのシートボディの斜視図である。
【図１０】本発明の第１実施形態のモジュール式の光電スイッチのシートボディの底部側からみた斜視図である。
【図１１】本発明の第１実施形態のモジュール式の光電スイッチの受信管の斜視図である。
【図１２】本発明の第２実施形態のモジュール式の光電スイッチキーボードのキーの軸コアアセンブリの斜視図である。
【発明を実施するための形態】
【００１６】
本発明の技術内容、構造特徴、実現効果を詳しく説明するために、以下実施方法と添付図に基づいて詳しく説明する。
（第１実施形態）
図１から図１１に示したように、本発明の第１実施形態によるモジュール式の光電スイッチキーボードのキー１００は、回路盤２００に設置され、回路盤２００上方の固定プレート３００をクランプする。キー１００は、モジュール式の光電スイッチ１、ベース２、軸コアアセンブリ３及びハリ素子４を備える。ベース２には、取り付け位置２ａ及び垂直になって且つ上方開口の摺動キャビティ２ｂが設けられる。モジュール式の光電スイッチ１は、前記取り付け位置２ａに設置される。軸コアアセンブリ３は、摺動可能に摺動キャビティ２ｂ内に設置され、上端はベース２から伸び出す。ハリ素子４は、ベース２と軸コアアセンブリ３との間に設けられる。
【００１７】
更に図７から図１１を参照すると、モジュール式の光電スイッチ１は、シートボディ１１、送信管１２、受信管１３及びセパレータ１４を有する。
送信管１２及び受信管１３の外形は、構造が同様で、いずれもＬ形の構造である。シートボディ１１は、２つの送信管１２及び受信管１３と対応する相対送信管装着スタンド１１１を有する。２つの相対送信管装着スタンド１１１は、距離を作って並列設置される。２つの相対送信管装着スタンド１１１間には、通信と遮断用の溝１１２が開けられる。送信管１２及び前記受信管１３は、それぞれ２つの相対送信管装着スタンド１１１中に設置される。送信管１２の送信口（不図示）及び受信管１３の受信口１３ａは、通信と遮断用の溝１１２に向かって相互に正対する。
【００１８】
セパレータ１４は、摺動可能に通信と遮断用の溝１１２に置かれる。セパレータ１４は、軸コアアセンブリ３と固定して連結され、軸コアアセンブリ３を押すと、軸コアアセンブリ３がリンケージしてセパレータ１４を送信管１２と受信管１３の間に摺動させる。セパレータ１４が送信管１２及び受信管１３の間に位置する場合、送信口と受信口１３ａとの間の信号の伝送が遮断され、セパレータ１４が送信管１２と受信管１３の間を離れる場合、送信口と受信口１３ａとの間の信号伝送を通信させる。
【００１９】
更に図９及び図１０を参照すると、２つの相対送信管装着スタンド１１１には、通信と遮断用の溝１１２に近づく側に連続溝１１１ａが開けられ、送信口及び受信口１３ａが連続溝１１１ａに対して正面を向く。送信管１２及び受信管１３は、相対送信管装着スタンド１１１内に設置されるため、連続溝１１１ａを開設すれば、送信口及び受信口１３ａを外と連通させ、それにより信号の伝送を実現する。２つの相対送信管装着スタンド１１１の底部には、いずれも２つの下向きに外部に貫通する貫通穴１１１ｂが設けられる。送信管１２及び受信管１３の底部の両ピン１２ｂ、１３ｂは、それぞれ対応する貫通穴１１１ｂを貫通して回路盤と電気的に接続される。貫通穴１１１ｂから送信管１２及び受信管１３のピン１２ｂ、１３ｂを直接伸び出させて回路盤と電気的に接続することで、ピン１２ｂ、１３ｂをシートボディ１１の内部に隠すことでき、ほこり及び液体の影響を回避する。
【００２０】
図９及び図１０を参照すると、シートボディ１１の底部にバックルレッグ１１３が設けられる。バックルレッグ１１３は、回路盤２００の結びつけ孔２０１と結びつけられる。バックルレッグ１１３は、シートボディ１１を回路盤２００と速やかに接続させ、取り付けしやすく、組み立て速度を向上させる。シートボディ１１の底部には、位置決めロッド１１４が設けられる。位置決めロッド１１４は、回路盤２００の位置決め穴２０２の中に挿着される。位置決めロッド１１４は、シートボディ１１と回路盤２００とを組み立てる時に、迅速な位置決めに役立ち、組み立て速度を向上させる。
【００２１】
図９及び図１１を参照すると、送信管１２及び受信管１３の片側には、いずれも嵌合部１３ｃが設けられる。２つの相対送信管装着スタンド１１１の嵌合部１３ｃと対応する側壁には、いずれも嵌合部１３ｃと嵌合する嵌合部１１１ｃが設けられる。嵌合部１３ｃ及び嵌合部１１１ｃの設置により、送信管１２に対する迅速位置決めを実現し、取り付けしやすい。本実施形態では、嵌合部１３ｃが「第１嵌合部」に対応し、嵌合部１１１ｃが「第２嵌合部」に対応する。
【００２２】
図２から図６を参照すると、軸コアアセンブリ３は、軸コア３１及び垂直で摺動可能に軸コア３１の外に嵌着される摺動ブッシュ３２を含む。セパレータ１４は、軸コア３１の片側に固定して連結される。軸コア３１には、掛り部３１ａが設けられる。押されていない状態で、摺動ブッシュ３２は、掛り部３１ａに掛かる。
【００２３】
モジュール式の光電スイッチキーボードのキー１００は、更にばね金５を含む。ばね金５は、ベース２に固定されり。ばね金５は、ハリ片５１を有する。摺動ブッシュ３２の片側には、当接部３２ａが設けられる。当接部３２ａには、クランプリング３２ｂが設けられる。当接部３２ａがハリ片５１に当接する時、ハリ片５１がクランプリング３２ｂに弾力で係止される。ハリ片５１は、摺動ブッシュ３２の摺動方向に垂直になる弾力を提供し、且つ、当接部３２ａに当接することで、軸コア３１を下へ摺動する時に摺動ブッシュ３２を摺動キャビティ２ｂ内に依然として掲揚できるようにする。軸コアアセンブリ３を軸コア３１及び摺動ブッシュ３２の両部に分けることにより、本発明の第１実施形態によるモジュール式の光電スイッチキーボードのキー１００を押す時、軸コア３１と摺動ブッシュ３２とが衝突する音を発生させ、機械キーボードの音の真似を実現でき、キーボードをタイプする時の音を増幅する。且つ、ばね金５を設置し、及び摺動ブッシュ３２に当接部３２ａを設置することにより、ばね金５が当接部３２ａに対する弾力を発生させる。これにより、本発明の第１実施形態によるモジュール式の光電スイッチキーボードのキー１００を押す時に段落感を有させ、機械キーボードの特有の触感を実現することができる。
【００２４】
更に図１、図３及び図４示したように、ベース２は、上カバー２１及びベース２２を含む。上カバー２１には、嵌合フック２１ａが設けられる。ベース２２には、嵌合部２２ａが設けられる。上カバー２１をベース２２にかぶせる時、フック２１ａが嵌合部２２ａと嵌合する。ベース２を上カバー２１及びベース２２を設け、且つ、嵌合フック２１ａ及び嵌合部２２ａを利用して嵌合接続する形式により、組み立てしやすい。本実施形態では、嵌合部２２ａが「フック嵌合部」に対応する。嵌合フックをベース２２に設け、フック嵌合部を上カバー２１に設けてもよい。
【００２５】
ベース２２の正対する両側には、ハリフック２２ｂが設けられる。ベース２２が固定プレート３００の開口３０１に設置され、且つ、ハリフック２２ｂが開口３０１のエッジにクランプする。ハリフック２２ｂは、ベース２を迅速固定させ、半田等のステップを省くことができるので、取り付け効率が向上する。ベース２２の下ボトムには、位置決めロッド２２ｃが設けられる。位置決めロッド２２ｃは、回路盤２００の位置決め穴２０３の中に挿着される。位置決めロッド２２ｃは、取り付けの時にベース２を迅速位置決めさせ、取り付け効率が向上する。位置決めロッド２２ｃは、ベース２２の内部へ延伸し、且つ中央にパイロット穴が開設される。これにより、軸コア３１を摺動キャビティ２ｂ内で摺動させる時、軸コア３１の軸がパイロット穴内に嵌着され、ガイドする目的が達成される。回路盤２００には、更にＬＥＤライト取り付け位置２０４が開設される。ベース２２には、更にＬＥＤライト貫通穴２ｃが設けられる。ＬＥＤライト取り付け位置２０４には、パッチ式ＬＥＤライト６が設置され、ライトがＬＥＤライト貫通穴２ｃを通してモジュール式の光電スイッチキーボードのキー１００をバックライトの効果を有させる。
【００２６】
上記内容をまとめ且つ添付図を結び付け、本発明の第１実施形態によるモジュール式の光電スイッチキーボードのキー１００が初期状態の時、摺動ブッシュ３２が軸コア３１の掛り部３１ａに掛かり、摺動ブッシュ３２の当接部３２ａがばね金５のハリ片５１に当接する。使用する際、軸コア３１を押し、軸コア３１を摺動キャビティ２ｂに沿って下向きに摺動させる。この時、ハリ片５１の弾力が当接部３２ａに当接するため、摺動ブッシュ３２を静止させる。軸コア３１が一定のストロークまで摺動する場合、軸コア３１が摺動ブッシュ３２に衝突する。これにより、摺動ブッシュ３２を軸コア３１に伴って下向きに摺動させると同時に、軸コア３１がリンケージしてセパレータ１４を下向きに移動させる。セパレータ１４は、通信と遮断用の溝１１２において下向きに送信口と受信口１３ａの間に移動する。これにより送信管１２及び受信管１３間の信号伝送を遮断し、信号の変更を実現し、それによりキーボードの押す操作を達成する。最後に、ハリ素子４の回復力の作用で、軸コア３１は上向きに移動し且つリンケージして摺動ブッシュ３２を上向きに移動させることにより初期状態に回復する。
【００２７】
従来の技術に比べて、本発明の第１実施形態は、送信管１２及び受信管１３をそれぞれ相対的に設置するため、セパレータ１４を送信管１２及び受信管１３の間に設け、且つ、セパレータ１４を軸コアアセンブリ３に接続し、軸コアアセンブリ３がセパレータ１４を駆動して送信管１２及び受信管１３間まで摺動する場合、送信管１２と受信管１３との間の信号伝送を遮断できる。又、ハリ素子４を設置し、ハリ素子４の回復力を利用してセパレータ１４を摺動させて送信管１２及び受信管１３の間から離れると、送信管１２と受信管１３との間の信号伝送を通信させるとともに、セパレータ１４の摺動により、信号を通信及び遮断させてスイッチの機能を達成でき、これによりキーボードの押す操作を実現する。本実施形態の光電素子を用いてキーボードのキーは、スイッチ構造がシンプルであるのみならず、取り付けが迅速で、スイッチの応答速度が速く、且つ信号伝送は光に依存して行い、導電金属物を必要とせず、防水防塵という効果を有する。また、セパレータ１４が送信管１２及び受信管１３と直接接触しないので、磨耗又は金属疲労が生じず、耐用年数が大幅に延長される。この他、本実施形態は、タイプする時に発生するノック音と押す時の段落感を有し、機械キーボードとしての良好な触感を有する。
【００２８】
（第２実施形態）
本発明の第２実施形態によるモジュール式の光電スイッチキーボードのキーの構造は、第１実施形態の構造と同様であって、異なる点は、軸コアアセンブリ３’である。図１２に示したように、本実施形態の軸コアアセンブリ３’は、軸コア３１’及び摺動ブッシュ３２’の両部に分けられる。セパレータ１４は、摺動ブッシュ３２’に設置される。実現する機能は、第１実施形態と同様であるので、詳細な説明を省略する。
この他、本実施形態のモジュール式の光電スイッチキーボードのキーは、軸コアアセンブリをその他構造に形成することができ、音を有し段落感および手触りを有する機能、音および段落感が無く手触りを有する機能、または、直線形手触り機能を実現する。例えば、軸コアアセンブリを一体化した構造に形成し、、その他の点を同様に構成することで、キーボードの音が無く、段落感および手触り機能を有するようにさせる。
本発明のモジュール式の光電スイッチキーボードのキー１００が及ぼす送信管１２及び受信管１３の内部構造及び作動原理はいずれも当業者に熟知されているため、詳細な説明を省略する。
以上、開示したのは本発明の比較的良い実例であり、当然、上記実施形態は本発明の権利範囲を限定するものではなく、本発明の出願特許範囲に基づいた同等な変化も本発明のカバーする範囲にある。
【符号の説明】
【００２９】
１・・・光電スイッチ
２・・・ベース
３、３’・・・軸コアアセンブリ
４・・・ハリ素子
５・・・ばね金
１２・・・送信管
１３・・・受信管
１４・・・セパレータ
１００・・・キー
２００・・・回路盤
３００・・・固定プレート
【図１】
2017112092.tif 000003
【図２】
2017112092.tif 000004
【図３】
2017112092.tif 000005
【図４】
2017112092.tif 000006
【図５】
2017112092.tif 000007
【図６】
2017112092.tif 000008
【図７】
2017112092.tif 000009
【図８】
2017112092.tif 000010
【図９】
2017112092.tif 000011
【図１０】
2017112092.tif 000012
【図１１】
2017112092.tif 000013
【図１２】
2017112092.tif 000014